(57)【要約】      （修正有）【課題】傘つえ等の長尺物を暫時留め置いて長尺物の転倒を防止し、また長尺物をユーザの近場に暫時留め置いて長尺物の置き忘れ防止を図る長尺物ホルダを提供する。【解決手段】小片からなり裏面に滑り止めを有する基台３と、該基台３の上面に固設され長尺物７ａ、７ｂの柄９ａ、９ｂが支承される衝撃吸収性素材かつ難滑性の素材からなるパッド５とから構成される。柄９ａ、９ｂがパッド５に置かれると、柄９ａ、９ｂを載置する際の衝撃をパッド５が吸収し、柄９ａ、９ｂがパッド５面に支承される。基台３の裏面には滑り止めが施されているため、傘つえ等の長尺物７ａ、７ｂは、柄９ａ、９ｂを介して長尺物ホルダ１にしっかりと静止される。また、基台が小片からなり携帯可能であるため、ユーザの近場において適宜の場所に固定できる。【選択図】図２
0003213181.tif 000002
【実用新案登録請求の範囲】
【請求項１】
傘つえ等の長尺物を支承する長尺物ホルダであって、
小片からなり裏面に滑り止めを有する基台と、
該基台の上面に固設され上記長尺物の柄が支承される衝撃吸収性かつ難滑性の素材からなるパッドとから構成されることを特徴とする長尺物ホルダ。
【請求項２】
請求項１記載の長尺物ホルダにおいて、上記パッドが多孔質のポリ塩化ビニル材からなり、上記基台がエラストマーからなることを特徴とする長尺物ホルダ。
【請求項３】
請求項１記載の長尺物ホルダにおいて、上記パッド及び上記基台がともに一体のポリウレタン材からなることを特徴とする長尺物ホルダ。
【請求項４】
請求項１記載の長尺物ホルダにおいて、上記パッド及び上記基台がともに一体のポリ塩化ビニル材からなることを特徴とする長尺物ホルダ。
【考案の詳細な説明】
【技術分野】
【０００１】
本願考案は傘つえ等の長尺物を支承する長尺物ホルダに関する。
【背景技術】
【０００２】
傘つえ等をもっていると、荷物の出入れのときなどに暫時留め置きたいことがある。
【０００３】
このとき、傘つえ等を適宜に留め置く設備がないと、傘つえ等が転倒するおそれがあり、かかる場合長尺物であるため危険である。
【０００４】
また遠くの留置設備に置くなどすると、傘つえ等を忘れてしまうおそれがある。
【０００５】
しかしながら、従来のこの種ホルダは設置型のものが多く、また重量物であったりしていたので、持ち運びに不便であった。
【先行技術文献】
【特許文献】
【０００６】
【特許文献１】特開２００７−７１５８号公報
【考案の概要】
【考案が解決しようとする課題】
【０００７】
本願考案は上記背景に鑑み、どこにでも持ち運びすることができ、傘つえ等の長尺物を暫時留め置いて、長尺物の転倒を防止することを目的とする。
【０００８】
また、傘つえ等の長尺物をユーザの近場に暫時留め置いて、長尺物の置き忘れ防止を図ることを目的とする。
【課題を解決するための手段】
【０００９】
上記目的達成のため、本願考案による傘つえ等の長尺物を支承する長尺物ホルダは、傘つえ等の長尺物を支承する長尺物ホルダであって、小片からなり裏面に滑り止めを有する基台と、該基台の上面に固設され上記長尺物の柄が支承される衝撃吸収性かつ難滑性の素材からなるパッドとから構成されることを特徴とする。
また、請求項１記載の長尺物ホルダにおいて、上記パッドが多孔質のポリ塩化ビニル材からなり、上記基台がエラストマーからなることを特徴とする。
また、請求項１記載の長尺物ホルダにおいて、上記パッド及び上記基台がともに一体のポリウレタン材からなることを特徴とする。
また、請求項１記載の長尺物ホルダにおいて、上記パッド及び上記基台がともに一体のポリ塩化ビニル材からなることを特徴とする。
【考案の効果】
【００１０】
本願考案による長尺物ホルダは、小片からなり裏面に滑り止めを有する基台と、該基台の上面に固設され上記長尺物の柄が支承される衝撃吸収性かつ難滑性の素材からなるパッドとから構成されるので、小型軽量の簡易構成であり、長尺物の柄がパッドに置かれると、柄を載置する際の衝撃をパッドが吸収し、柄がパッド面にしっかりと支承される。基台の裏面には滑り止めが施されているため、傘つえ等の長尺物は、柄を介して長尺物ホルダにしっかりと静止される。よって、長尺物の転倒を防止することができ、転倒に伴う危険を排除することができる。
【００１１】
また本願考案による長尺物ホルダは、小型軽量の簡易構成であり、携帯可能であるため、ユーザの近場において適宜の場所に固定できる。よってユーザによる長尺物の置き忘れを防止することができる。
【図面の簡単な説明】
【００１２】
【図１】本願考案による長尺物ホルダの一実施の形態を示す斜視図である。
【図２】（Ａ）は本願考案による長尺物ホルダの使用例を示す斜視図、（Ｂ）は同他の使用例を示す斜視図である。
【考案を実施するための形態】
【００１３】
次に、実施の形態を示す図面に基づき、本願考案による長尺物ホルダを詳しく説明する。なお、便宜上同一の機能を奏する部分には同一の符号を付してその説明を省略する。
【００１４】
１は長尺物ホルダであり、薄板状の基台３と、該基台３の上面に固設された扁平状のパッド５とからなる。上記基台３は合成ゴムの如きエラストマーからなり、本実施例では幅１００ｍｍ×奥行７０ｍｍ×高さ１２０ｍｍ、重量５０ｇに形成された矩形の小片であり、裏面の角部４ヶ所に滑り止めシールからなる滑り止め（図示省略）が施される。上記パッド５は多孔質のポリ塩化ビニル材の如き衝撃吸収性かつ難滑性の素材からなり、載置される長尺物としての傘７ａの柄９ａが支承される（図２（Ａ））。図２（Ｂ）は載置される長尺物がつえ７ｂの場合であり、その柄９ｂがパッド５の上面に支承される。
【００１５】
上記実施の形態による長尺物ホルダ１によれば、長尺物７ａ、７ｂの柄９ａ、９ｂがパッド５に置かれると、柄９ａ、９ｂを載置する際の衝撃を多孔質樹脂からなるパッド５が吸収し、またパッド５が多孔質樹脂からなるため滑り難いので、柄９ａ、９ｂがパッド５の面にしっかりと支承される。基台３の裏面には滑り止めが施されているため、長尺物７ａ、７ｂは柄９ａ、９ｂを介して長尺物ホルダ１にしっかりと静止される。よって、長尺物７ａ、７ｂの転倒を防止することができ、転倒に伴う危険を排除することができる。
【００１６】
また、長尺物ホルダ１全体が小型軽量の簡易構成であり携帯可能であるため、ユーザの近場において長尺物ホルダ１を適宜の場所に固定できる。よってユーザによる長尺物の置き忘れを防止することができる。
【００１７】
さらに上記実施の形態による長尺物ホルダ１によれば、長尺物ホルダ１全体が小型軽量であり、どこにでも携帯可能であるため、雨天時等に持ち歩いて手近の場所に長尺物ホルダ１を設置して使用することができ、また全体が小型軽量の簡易構成であるため、既設の玄関、病院等の受付台、トイレの棚台等に簡単に設置しても、上記効果を発揮することができる。
【００１８】
本願考案は上記した実施の形態に制限されない。例えば、パッド５、基台３の形状はいずれも任意であり、例えば、円形、三角形の外、動植物等の形状を模して形成することもできる。また、パッド５及び基台３はともにポリウレタン材又はポリ塩化ビニル材にて一体成形されてもよい。これらの場合もパッド５、基台３の形状は上記のようにいずれも任意である。適用される長尺物は柄を有するものであれば可である。さらに、上記実施例中で述べた長尺物ホルダ１の大きさ、重量は一例であり、小型であれば長尺物ホルダ１の大きさ、重量を適宜に変更することができる。またパッド５は他の衝撃吸収性かつ難滑性の素材にて構成することもできる。
【産業上の利用可能性】
【００１９】
本願考案による長尺物ホルダは、傘つえ等の長尺物を支承する長尺物ホルダとして利用することができる。
【符号の説明】
【００２０】
１      長尺物ホルダ
３      基台
５      パッド
７ａ    長尺物
７ｂ    長尺物
９ａ    柄
９ｂ    柄
【図１】
0003213181.tif 000003
【図２】
0003213181.tif 000004